(57)【要約】【課題】両面に奥行き感のある情報量の多い立体視シートであって、かつ、吸湿反りや乾燥反りのない立体視シートを提供する。【解決手段】一方の面が複数の凸レンズ集合体により構成されるレンズシート１Ａと、一方の面が複数の凸レンズ集合体により構成されるレンズシート１Ｂと、両面に画像形成層３Ａ、３Ｂを有する画像形成媒体２と、を設ける。レンズシート１Ａの凸レンズ集合体を有する面と反対側の面上に画像形成媒体２を積層し、画像形成媒体２上に、レンズシート１Ｂの凸レンズ集合体を有する面と反対側の面を積層する。【選択図】図１
2012088584.tif 000002
【特許請求の範囲】
【請求項１】
一方の面が複数の凸レンズ集合体により構成される一のレンズシートと、
一方の面が複数の凸レンズ集合体により構成される他のレンズシートと、
両面に画像形成層を有する画像形成媒体と、を設け、
前記一のレンズシートの前記凸レンズ集合体を有する面と反対側の面上に前記画像形成媒体が積層され、
前記画像形成媒体上に、前記他のレンズシートの前記凸レンズ集合体を有する面と反対側の面が積層されて構成されることを特徴とする立体視シート。
【請求項２】
一方の面が複数の凸レンズ集合体により構成され、前記凸レンズ集合体を有する面と反対側の面に画像形成層が設けられた一のレンズシートと、
一方の面が複数の凸レンズ集合体により構成され、前記凸レンズ集合体を有する面と反対側の面に画像形成層が設けられた他のレンズシートと、
積層媒体と、を設け、
前記一のレンズシートの前記画像形成層が設けられた面上に前記積層媒体が積層され、
前記積層媒体上に、前記他のレンズシートの前記画像形成層が設けられた面が積層されて構成されることを特徴とする立体視シート。
【請求項３】
一方の面が複数の凸レンズ集合体により構成され、前記凸レンズ集合体を有する面と反対側の面に画像形成層が設けられた一のレンズシートと、
一方の面が複数の凸レンズ集合体により構成され、前記凸レンズ集合体を有する面と反対側の面に画像形成層が設けられた他のレンズシートと、
遮光性のある隠蔽層と、を設け、
前記一のレンズシートの前記画像形成層が設けられた面上に前記隠蔽層が積層され、
前記隠蔽層上に、前記他のレンズシートの前記画像形成層が設けられた面が積層されて構成されることを特徴とする立体視シート。
【請求項４】
一方の面が複数の凸レンズ集合体により構成され、前記凸レンズ集合体を有する面と反対側の面に画像形成層が設けられた一のレンズシートと、
一方の面が複数の凸レンズ集合体により構成され、前記凸レンズ集合体を有する面と反対側の面に画像形成層が設けられた他のレンズシートと、を設け、
前記一のレンズシートと前記他のレンズシートを、前記画像形成層が設けられた面同士が積層されて構成されることを特徴とする立体視シート。
【請求項５】
一方の面が複数の凸レンズ集合体により構成される２つのレンズシートと、
画像形成層をそれぞれ有する２つの画像形成媒体と、を設け、
一の前記レンズシートの前記凸レンズ集合体を有する面と反対側の面上に、一の前記画像形成媒体の前記画像形成層を有する面が積層され、
他の前記レンズシートの前記凸レンズ集合体を有する面と反対側の面上に、他の前記画像形成媒体の前記画像形成層を有する面が積層され、
前記一の画像形成媒体の前記画像形成層を有する面と反対側の面と、前記他の画像形成媒体の前記画像形成層を有する面と反対側の面が積層されて構成されることを特徴とする立体視シート。
【請求項６】
前記一のレンズシート及び前記他のレンズシートの厚さは、０．０８ｍｍ乃至０．５０ｍｍであって、前記立体視シート全体の厚さは、１．３０ｍｍ以下であることを特徴とする請求項１乃至請求項５のいずれか一項に記載の立体視シート。
【発明の詳細な説明】
【技術分野】
【０００１】
本発明は、立体視シートに関し、特に、両面をレンズシートで構成した立体視シートに関する。
【背景技術】
【０００２】
観察者の視覚を利用することによって、例えば眼鏡等の特定の器具を使用しなくても３次元画像を観察できる立体視シートがある。立体視シートは、レンズシートを用いることにより立体視を可能にする。レンズシートは、例えば、シリンドリカルレンズを多数並べたものや、凸レンズを多数並列配置したものがある。立体視シートは、レンズシートの裏面に直接画像を印刷したり、或いは、印刷された印刷シートとレンズシートとを積層することにより作成される。
【０００３】
近年、薄いレンズシートが開発されており、立体視印刷物の製本も可能となった。特許文献１には、凸レンズの頂点から底面までの寸法を小さくした立体視シートが開示されている。
【先行技術文献】
【特許文献】
【０００４】
【特許文献１】特開２００８−１２８７０号公報
【発明の概要】
【発明が解決しようとする課題】
【０００５】
一方で、一般的な立体視シートは、ポリエチレンテレフタレート（ＰＥＴ）、ポリプロピレン（Ｐ.Ｐ.）等の樹脂からなるレンズシートに、コート紙などの紙をはり合せる表裏異種構成であるため、時間の経過に伴いレンズシートとコート紙の吸湿性の差から立体視シートが吸湿反りや乾燥反りが発生してしまうという問題がある。
【０００６】
特に、製本のためにはより可撓性の高いレンズシートを用いることが好ましく、レンズシートの可撓性を高くするためには、レンズシートを薄くする必要がある。しかし、レンズシートは、薄くなるほど吸湿反りや乾燥反りが顕著となってしまうという相反する課題がある。
【０００７】
立体視シートの吸湿反りや乾燥反りを防ぐため、コート紙に代えてポリエチレンテレフタレート（ＰＥＴ）等を用いることが考えられるが、コストがかかり、また、ポリエチレンテレフタレート（ＰＥＴ）等であっても、レンズシートとは材料が異なることから、吸湿反りや乾燥反りを防ぎきれない。さらに、製本後の立体視印刷物を温度・湿度環境が最適に保たれた場所で保存すれば吸湿反りや乾燥反りを改善できるかもしれないが、最適環境を保つためにはコストも手間もかかり、現実的でない。
【０００８】
本発明の目的は、このような問題等に鑑みて、薄いレンズシートを用いた場合であっても、吸湿反りや乾燥反りのない立体視シートを提供することにある。
【課題を解決するための手段】
【０００９】
本発明の立体視シートは、一方の面が複数の凸レンズ集合体により構成される一のレンズシートと、一方の面が複数の凸レンズ集合体により構成される他のレンズシートと、両面に画像形成層を有する画像形成媒体と、を設け、前記一のレンズシートの前記凸レンズ集合体を有する面と反対側の面上に前記画像形成媒体が積層され、前記画像形成媒体上に、前記他のレンズシートの前記凸レンズ集合体を有する面と反対側の面が積層されて構成されることを特徴とする。
【００１０】
本発明の立体視シートは、一方の面が複数の凸レンズ集合体により構成され、前記凸レンズ集合体を有する面と反対側の面に画像形成層が設けられた一のレンズシートと、一方の面が複数の凸レンズ集合体により構成され、前記凸レンズ集合体を有する面と反対側の面に画像形成層が設けられた他のレンズシートと、積層媒体と、を設け、前記一のレンズシートの前記画像形成層が設けられた面上に前記積層媒体が積層され、前記積層媒体上に、前記他のレンズシートの前記画像形成層が設けられた面が積層されて構成されることを特徴とする。
【００１１】
本発明の立体視シートは、一方の面が複数の凸レンズ集合体により構成され、前記凸レンズ集合体を有する面と反対側の面に画像形成層が設けられた一のレンズシートと、一方の面が複数の凸レンズ集合体により構成され、前記凸レンズ集合体を有する面と反対側の面に画像形成層が設けられた他のレンズシートと、遮光性のある隠蔽層と、を設け、前記一のレンズシートの前記画像形成層が設けられた面上に前記隠蔽層が積層され、前記隠蔽層上に、前記他のレンズシートの前記画像形成層が設けられた面が積層されて構成されることを特徴とする。
【００１２】
本発明の立体視シートは、一方の面が複数の凸レンズ集合体により構成され、前記凸レンズ集合体を有する面と反対側の面に画像形成層が設けられた一のレンズシートと、一方の面が複数の凸レンズ集合体により構成され、前記凸レンズ集合体を有する面と反対側の面に画像形成層が設けられた他のレンズシートと、を設け、前記一のレンズシートと前記他のレンズシートを、前記画像形成層が設けられた面同士が積層されて構成されることを特徴とする。
【００１３】
本発明の立体視シートは、一方の面が複数の凸レンズ集合体により構成される２つのレンズシートと、画像形成層をそれぞれ有する２つの画像形成媒体と、を設け、一の前記レンズシートの前記凸レンズ集合体を有する面と反対側の面上に、一の前記画像形成媒体の前記画像形成層を有する面が積層され、他の前記レンズシートの前記凸レンズ集合体を有する面と反対側の面上に、他の前記画像形成媒体の前記画像形成層を有する面が積層され、前記一の画像形成媒体の前記画像形成層を有する面と反対側の面と、前記他の画像形成媒体の前記画像形成層を有する面と反対側の面が積層されて構成されることを特徴とする。
【００１４】
前記一のレンズシート及び前記他のレンズシートの厚さは、０．０８ｍｍ乃至０．５０ｍｍであって、前記立体視シート全体の厚さは、１．３０ｍｍ以下であることを特徴とする。
【発明の効果】
【００１５】
本発明によれば、両面に奥行き感のある情報量の多い立体視シートであって、かつ、吸湿反りや乾燥反りのない立体視シートを実現できる。
【図面の簡単な説明】
【００１６】
【図１】第１実施例による立体視シートの断面図
【図２】第２実施例による立体視シートの断面図
【図３】第３実施例による立体視シートの断面図
【図４】第４実施例による立体視シートの断面図
【図５】第５実施例による立体視シートの断面図
【図６】第６実施例による立体視シートの断面図
【図７】第７実施例による立体視シートの断面図
【発明を実施するための形態】
【００１７】
本発明の立体視シートについて、図面を参照して説明する。
【００１８】
（第１実施例）
図１は、第１実施例による立体視シートの断面図である。
【００１９】
図１に示すように、第１実施例の立体視シート１００は、レンズシート１Ａ、１Ｂと、画像形成媒体２と、画像形成層３Ａ、３Ｂが必須の構成として設けられる。以下に、立体視シート１００を構成する各層について説明する。
【００２０】
レンズシート１Ａ、１Ｂは、複数の凸レンズからなる凸レンズ集合体を透明基材上に設けて構成される。レンズシート１Ａ、１Ｂは、例えば、シリンドリカルレンズを多数並べたものや、凸レンズを多数並列配置したものである。レンズシート１Ａに構成された凸レンズ集合体は図面上方に、レンズシート１Ｂに構成された凸レンズ集合体は図面下方に示す。レンズシート１Ａの凸レンズ集合体が形成されていない側（図面下側）に画像形成層３Ａが設けられ、レンズシート１Ｂの凸レンズ集合体が形成されていない側（図面上側）に画像形成層３Ｂが設けられる。
【００２１】
レンズシート１Ａ及び１Ｂの材料は、従来から立体視シートに用いられているレンズシートであれば特に限定されないが、ＰＥＴ（ポリエチレンテレフタレート）、ＰＰ、ＰＥＴＧ（グリコール変性ポリエチレンテレフタレート）などの透明な樹脂材料が用いられる。レンズシート１Ａ及び１Ｂの厚さは、例えば、０．０８ｍｍ〜０．５０ｍｍが好ましく、０．０８ｍｍ〜０．３０ｍｍが特に好ましい。  
【００２２】
画像形成媒体２は不透明でありレンズシート１Ａ及び１Ｂの間に設けられ、両面（図面において画像形成媒体２の上下）に画像形成層３Ａ及び３Ｂが形成される。画像形成媒体２の材料は、従来から立体視シートに用いられている画像形成媒体であれば特に限定されないが、コート紙、合成紙、上質紙、中質紙、含浸紙、ラミネート紙、金属蒸着紙、印刷用塗工紙、記録用塗工紙等の紙、ポリエチレンテレフタレートフィルム、ポリエチレンフィルム、ポリプロピレンフィルム、ポリカーボネートフィルム等のプラスチックフィルム、金属箔、あるいはそれらの複合体等が用いられる。画像形成媒体２の材料は、立体視シート１００に要求される強度や用途等に応じて適宜選択することができるが、可撓性を高くするためにはより薄いほうが好ましい。
【００２３】
画像形成層３Ａ、３Ｂは、絵柄や文字等の画像が印刷又は転写等により形成された層である。画像形成層３Ａは、画像形成媒体２のレンズシート１Ａの側に設けられる。画像形成層３Ｂは、画像形成媒体２のレンズシート１Ｂの側に設けられる。画像形成層３Ａ及び３Ｂの材料は、画像形成媒体２に密着できる材料であれば特に限定されないが、例えば、従来公知のインキ材が用いられる。
【００２４】
また、レンズシート１Ａ（１Ｂ）と、画像形成層３Ａ（３Ｂ）を設けた画像形成媒体２との積層方法は、画像形成媒体２及び画像形成層３Ａ（３Ｂ）の材料に応じて、周知の方法（例えば、周知の接着又は粘着方法）を用いて行われるが、レンズシート１Ａ（１Ｂ）と画像形成層３Ａ（３Ｂ）が透明性を保って積層できればよい。
【００２５】
レンズシート１Ａの凸レンズ集合体が形成された側（図面上方）からは、当該凸レンズ集合体と画像形成層３Ａによる立体画像が観賞でき、レンズシート１Ｂの凸レンズ集合体が形成された側（図面下方）からは、当該凸レンズ集合体と画像形成層３Ｂによる立体画像が観賞できる。
【００２６】
第１実施例によれば、一方の面が複数の凸レンズ集合体により構成されるレンズシート１Ａと、一方の面が複数の凸レンズ集合体により構成されるレンズシート１Ｂと、両面に画像形成層３Ａ、３Ｂを有する画像形成媒体２と、を設け、レンズシート１Ａの凸レンズ集合体を有する面と反対側の面上に画像形成媒体２を積層し、画像形成媒体２上に、レンズシート１Ｂの凸レンズ集合体を有する面と反対側の面を積層するよう構成したので、両面に奥行き感のある情報量の多い立体視シートであって、かつ、吸湿反りや乾燥反りのない立体視シートを実現できる。
【００２７】
特に、厚さ０．０８ｍｍ〜０．２０ｍｍのレンズシート１Ａ及び１Ｂを使用した場合、立体視シート全体の厚みを０．５５ｍｍ以下に薄くすることができ、可撓性が高く、かつ、吸湿反りや乾燥反りのない立体視シートを実現できる。
【００２８】
（第２実施例）
図２は、第２実施例による立体視シートの断面図である。
【００２９】
第２実施例の立体視シート２００は、レンズシートに画像形成層を設ける構成である。図２に示すように、第２実施例の立体視シート２００は、レンズシート４Ａ、４Ｂと、積層媒体５と、画像形成層６Ａ、６Ｂが必須の構成として設けられる。以下に、立体視シート２００を構成する各層について説明する。
【００３０】
レンズシート４Ａの構成は第１実施例のレンズシート１Ａと同様であり、レンズシート４Ｂの構成は第１実施例のレンズシート１Ｂと同様であるため説明を省略する。
【００３１】
積層媒体５は不透明でありレンズシート４Ａ及び４Ｂの間に設けられる。積層媒体５の材料は、コート紙、合成紙、上質紙、中質紙、含浸紙、ラミネート紙、金属蒸着紙、印刷用塗工紙、記録用塗工紙等の紙、ポリエチレンテレフタレートフィルム、ポリエチレンフィルム、ポリプロピレンフィルム、ポリカーボネートフィルム等のプラスチックフィルム、金属箔、あるいはそれらの複合体等が用いられる。積層媒体５の材料は、立体視シート２００に要求される強度や用途等に応じて適宜選択することができるが、可撓性を高くするためにはより薄いほうが好ましい。
【００３２】
画像形成層６Ａ、６Ｂは、絵柄や文字等の画像が印刷又は転写等により形成された層である。レンズシート４Ａの凸レンズ集合体が形成されている面と反対側の面には画像形成層６Ａが設けられ、レンズシート４Ｂの凸レンズ集合体が形成されている面と反対側の面には画像形成層６Ｂが設けられる。
【００３３】
また、画像形成層６Ａ（６Ｂ）を設けたレンズシート４Ａ（４Ｂ）と、積層媒体５との積層方法は、積層媒体５及び画像形成層６Ａ（６Ｂ）の材料に応じて、周知の方法（例えば、周知の接着又は粘着方法）を用いて行われるが、レンズシート４Ａ（４Ｂ）と画像形成層６Ａ（６Ｂ）が透明性を保って積層できれば何でもよい。なお、画像形成層６Ａ及び６Ｂの積層媒体５が貼り合せられる面には、オペークインキ等による不透明の透け防止層（不図示）を積層することが好ましい。
【００３４】
画像形成層６Ａのその他の構成は第１実施例の画像形成層３Ａと同様であり、画像形成層６Ｂのその他の構成は第１実施例の画像形成層３Ｂと同様であるため説明を省略する。
【００３５】
第２実施例によれば、一方の面が複数の凸レンズ集合体により構成され凸レンズ集合体を有する面と反対側の面に画像形成層６Ａが設けられたレンズシート４Ａと、一方の面が複数の凸レンズ集合体により構成され凸レンズ集合体を有する面と反対側の面に画像形成層６Ｂが設けられたレンズシート４Ｂと、積層媒体５と、を設け、レンズシート４Ａの画像形成層６Ａが設けられた面上に積層媒体５を積層し、積層媒体５上に、レンズシート４Ｂの画像形成層６Ｂが設けられた面を積層するよう構成したので、両面に奥行き感のある情報量の多い立体視シートであって、かつ、吸湿反りや乾燥反りのない立体視シートを実現できる。
【００３６】
特に、厚さ０．０８ｍｍ〜０．２０ｍｍのレンズシートを使用した場合、立体視シート全体の厚みを０．５５ｍｍ以下に薄くすることができ、可撓性が高く、かつ、吸湿反りや乾燥反りのない立体視シートを実現できる。
【００３７】
（第３実施例）
図３は、第３実施例による立体視シートの断面図である。
【００３８】
第３実施例の立体視シート３００は、画像形成媒体の間に隠蔽層を設ける構成である。図３に示すように、第３実施例の立体視シート３００は、レンズシート７Ａ、７Ｂと、画像形成媒体８Ａ、８Ｂと、画像形成層９Ａ、９Ｂと、隠蔽層１０が必須の構成として設けられる。
【００３９】
レンズシート７Ａの構成は第１実施例のレンズシート１Ａと同様であり、レンズシート７Ｂの構成は第１実施例のレンズシート１Ｂと同様である。
【００４０】
画像形成媒体８Ａ、８Ｂは、レンズシート７Ａと７Ｂの間に設けられ、それぞれレンズシート側の面に画像形成層９Ａ、９Ｂが形成される。具体的には、図３に示すように画像形成媒体８Ａの上方に画像形成層９Ａが形成され、画像形成媒体８Ｂの下方に画像形成層９Ｂが形成される。
【００４１】
画像形成媒体８Ａ、８Ｂのその他の構成は、第１実施例の画像形成媒体２と同様であり、画像形成層９Ａの構成は第１実施例の画像形成層３Ａと同様であり、画像形成層９Ｂの構成は第１実施例の画像形成層３Ｂと同様である。
【００４２】
隠蔽層１０は、画像形成媒体８Ａ、８Ｂの間に設けられる。隠蔽層１０は、画像形成媒体８Ａ、８Ｂに形成された画像形成層９Ａ、９Ｂの画像が他方の側から透過して見えることを防ぐための層である。具体的には、画像形成層９Ａの画像が画像形成媒体８Ａの反対の側（図中下方）に透過し、立体視シート３００のレンズシート７Ｂの側（図中下方）から透けて見えることを防ぐ。同様に、画像形成層９Ｂの画像がレンズシート７Ａの側（図中上方）から透けて見えることを防ぐ。
【００４３】
隠蔽層１０の材料は、アルミニウム蒸着フィルムのように暗色材で隠蔽性が高く、かつ、光透過の少ない材料を用いる。
【００４４】
レンズシート７Ａの凸レンズ集合体が形成された側（図面上方）からは、当該凸レンズ集合体と画像形成層９Ａによる立体画像が観賞でき、レンズシート７Ｂの凸レンズ集合体が形成された側（図面下方）からは、当該凸レンズ集合体と画像形成層９Ｂによる立体画像が観賞できる。
【００４５】
第３実施例によれば、一方の面が複数の凸レンズ集合体により構成されるレンズシート７Ａと、一方の面が複数の凸レンズ集合体により構成されるレンズシート７Ｂと、画像形成層を有する画像形成媒体８Ａ及び８Ｂと、画像形成媒体８Ａの画像形成層を有しない面と画像形成媒体８Ｂの画像形成層を有しない面の間に隠蔽層１０と、を設け、画像形成媒体８Ａの画像形成層９Ａが設けられた面上にレンズシート７Ａを積層し、画像形成媒体８Ｂの画像形成層９Ｂが設けられた面上にレンズシート７Ｂを積層して構成したので、両面に奥行き感のある情報量の多い立体視シートであって、かつ、吸湿反りや乾燥反りのない立体視シートを実現できる。
【００４６】
特に、厚さ０．０８ｍｍ〜０．２０ｍｍのレンズシートを使用した場合、立体視シート全体の厚みを０．５５ｍｍ以下に薄くすることができ、可撓性が高く、かつ、吸湿反りや乾燥反りのない立体視シートを実現できる。
【００４７】
また、隠蔽層１０を設けたので、レンズシート７Ａの側からは画像形成層９Ａによる立体画像を、画像形成層９Ｂの画像が透けることなく明瞭に鑑賞することができ、レンズシート７Ｂの側からは画像形成層９Ｂによる立体画像を、画像形成層９Ａの画像が透けることなく明瞭に鑑賞することができる。
【００４８】
（第４実施例）
図４は、第４実施例による立体視シートの断面図である。
【００４９】
第４実施例の立体視シート４００は、レンズシートに画像形成層を設け、さらに隠蔽構造シートを用いる構成である。図４に示すように、第４実施例の立体視シート４００は、レンズシート１１Ａ、１１Ｂと、隠蔽構造シート１２と、画像形成層１３Ａ、１３Ｂが必須の構成として設けられる。
【００５０】
レンズシート１１Ａの構成は第１実施例のレンズシート１Ａと同様であり、レンズシート１１Ｂの構成は第１実施例のレンズシート１Ｂと同様であるため説明を省略する。
【００５１】
隠蔽構造シート１２は、レンズシート１１Ａ及び１１Ｂの間に設けられる。隠蔽構造シート１２は、積層媒体１２ａ、１２ｂ、隠蔽層１２ｃにより構成される。具体的には、隠蔽層１２ｃの両面（図面において隠蔽層１２ｃの上下）に積層媒体１２ａ、１２ｂが設けられる。隠蔽構造シート１２は、隠蔽層の両面に積層媒体としての白色の紙又はフィルムが積層された構造のシートで、例えば、トランプカード、ゲームカード、トレーディングカード、スクラッチカード、プリペイドカード等に用いられるシートを用いることができる。
【００５２】
画像形成層１３Ａ、１３Ｂは、絵柄や文字等の画像が印刷又は転写等により形成された層である。レンズシート１１Ａの凸レンズ集合体が形成されている面と反対側の面には画像形成層１３Ａが設けられ、レンズシート１１Ｂの凸レンズ集合体が形成されている面と反対側の面には画像形成層１３Ｂが設けられる。なお、画像形成層１３Ａの構成は第２実施例の画像形成層６Ａと同様であり、画像形成層１３Ｂの構成は第２実施例の画像形成層６Ｂと同様である。
【００５３】
隠蔽層１２ｃは、画像形成層１３Ａ、１３Ｂの画像が他方の側から透過して見えることを防ぐための層である。具体的には、画像形成層１３Ａの画像が、立体視シート４００のレンズシート１１Ｂの側（図中下方）から透けて見えることを防ぐ。同様に、画像形成層１３Ｂの画像がレンズシート１１Ａの側（図中上方）から透けて見えることを防ぐ。
【００５４】
隠蔽構造シート１２を構成する積層媒体１２ａ、１２ｂ、隠蔽層１２ｃの材料は、立体視シート４００に要求される強度や用途等に応じて適宜選択することができるが、可撓性を高くするためにはより薄いほうが好ましい。
【００５５】
積層媒体１２ａ及び１２ｂのその他の構成は第２実施例の積層媒体５と同様であり、画像形成層１３Ａのその他の構成は第２実施例の画像形成層６Ａと同様であり、画像形成層１３Ｂのその他の構成は第２実施例の画像形成層６Ｂと同様であり、隠蔽層１２ｃのその他の構成は第３実施例の隠蔽層１０と同様であるため説明を省略する。
【００５６】
レンズシート１１Ａの凸レンズ集合体が形成された側（図面上方）からは、当該凸レンズ集合体と画像形成層１３Ａによる立体画像が観賞でき、レンズシート１１Ｂの凸レンズ集合体が形成された側（図面下方）からは、当該凸レンズ集合体と画像形成層１３Ｂによる立体画像が観賞できる。
【００５７】
第４実施例によれば、一方の面が複数の凸レンズ集合体により構成され凸レンズ集合体を有する面と反対側の面に画像形成層１３Ａが設けられたレンズシート１１Ａと、一方の面が複数の凸レンズ集合体により構成され凸レンズ集合体を有する面と反対側の面に画像形成層１３Ｂが設けられたレンズシート１１Ｂと、積層媒体１２ａ及び１２ｂを有する隠蔽構造シート１２と、を設け、レンズシート１１Ａの画像形成層１３Ａが設けられた面上に隠蔽構造シート１２を積層し、隠蔽構造シート１２上に、レンズシート１１Ｂの画像形成層１３Ｂが設けられた面を積層するよう構成したので、両面に奥行き感のある情報量の多い立体視シートであって、かつ、吸湿反りや乾燥反りのない立体視シートを実現できる。
【００５８】
特に、厚さ０．０８ｍｍ〜０．２０ｍｍのレンズシートを使用した場合、立体視シート全体の厚みを０．５５ｍｍ以下に薄くすることができ、可撓性が高く、かつ、吸湿反りや乾燥反りのない立体視シートを実現できる。
【００５９】
また、積層媒体１２ａ及び１２ｂ及び隠蔽層１２ｃを有する隠蔽構造シート１２を設けたので、レンズシート１１Ａの側からは画像形成層１３Ａによる立体画像を、画像形成層１３Ｂの画像が透けることなく明瞭に鑑賞することができ、レンズシート１１Ｂの側からは画像形成層１３Ｂによる立体画像を、画像形成層１３Ａの画像が透けることなく明瞭に鑑賞することができる。
【００６０】
（第５実施例）
図５は、第５実施例による立体視シートの断面図である。
【００６１】
第５実施例の立体視シート５００は、レンズシートに画像形成層を設け、隠蔽層を間に挟んで積層する構成である。図５に示すように、第５実施例の立体視シート５００は、レンズシート１４Ａ、１４Ｂと、画像形成層１５Ａ、１５Ｂと、隠蔽層１６が必須の構成として設けられる。以下に、立体視シート５００を構成する各層について説明する。
【００６２】
レンズシート１４Ａの構成は第２実施例のレンズシート４Ａと同様であり、レンズシート１４Ｂの構成は第２実施例のレンズシート４Ｂと同様である。
【００６３】
画像形成層１５Ａ、１５Ｂは、絵柄や文字等の画像が印刷又は転写等により形成された層である。レンズシート１４Ａの凸レンズ集合体が形成されている面と反対側の面には画像形成層１５Ａが設けられ、レンズシート１４Ｂの凸レンズ集合体が形成されている面と反対側の面には画像形成層１５Ｂが設けられる。
【００６４】
隠蔽層１６は、レンズシート１４Ａ及び１４Ｂの間に設けられる。隠蔽層１６は、画像形成層１５Ａ、１５Ｂの画像が他方の側から透過して見えることを防ぐための層である。隠蔽層１６は、レンズシート１４Ａの画像形成層１５Ａが設けられた面上に積層され、隠蔽層１６上に、レンズシート１４Ｂの画像形成層１５Ｂが設けられた面が積層される。
【００６５】
画像形成層１５Ａのその他の構成は第２実施例の画像形成層６Ａと同様であり、画像形成層１５Ｂのその他の構成は第２実施例の画像形成層６Ｂと同様であるため説明を省略する。
【００６６】
隠蔽層１６の材料は、アルミニウム蒸着フィルムのように暗色材で隠蔽性が高く、かつ、光透過の少ない材料を用いる。また、隠蔽層１６は遮光性を有し、レンズシート１４Ａに形成された画像形成層１５Ａ、及び、レンズシート１４Ｂに形成された画像形成層１５Ｂと張り合わされる。なお、隠蔽層１６は画像形成層１５Ａ及び１５Ｂと粘着又は接着により積層する。また、画像形成層１５Ａ及び１５Ｂの隠蔽層１６が貼り合せられる面には、オペークインキ等による不透明の透け防止層（不図示）を積層することが好ましい。
【００６７】
レンズシート１４Ａの凸レンズ集合体が形成された側（図面上方）からは、当該凸レンズ集合体と画像形成層１５Ａによる立体画像が観賞でき、レンズシート１４Ｂの凸レンズ集合体が形成された側（図面下方）からは、当該凸レンズ集合体と画像形成層１５Ｂによる立体画像が観賞できる。
【００６８】
第５実施例によれば、一方の面が複数の凸レンズ集合体により構成され凸レンズ集合体を有する面と反対側の面に画像形成層１５Ａが設けられたレンズシート１４Ａと、一方の面が複数の凸レンズ集合体により構成され凸レンズ集合体を有する面と反対側の面に画像形成層１５Ｂが設けられたレンズシート１４Ｂと、粘着性のある隠蔽層１６と、を設け、レンズシート１４Ａの画像形成層１５Ａが設けられた面上に隠蔽層１６を積層し、隠蔽層１６上に、レンズシート１４Ｂの画像形成層１５Ｂが設けられた面を積層して構成したので、両面に奥行き感のある情報量の多い立体視シートであって、かつ、吸湿反りや乾燥反りのない立体視シートを実現できる。
【００６９】
特に、厚さ０．０８ｍｍ〜０．２０ｍｍのレンズシートを使用した場合、立体視シート全体の厚みを０．５５ｍｍ以下に薄くすることができ、可撓性が高く、かつ、吸湿反りや乾燥反りのない立体視シートを実現できる。
【００７０】
また、隠蔽層１６を設けたので、レンズシート１４Ａの側からは画像形成層１５Ａによる立体画像を、画像形成層１５Ｂの画像が透けることなく明瞭に鑑賞することができ、レンズシート１４Ｂの側からは画像形成層１５Ｂによる立体画像を、画像形成層１５Ａの画像が透けることなく明瞭に鑑賞することができる。
【００７１】
（第６実施例）
図６は、第６実施例による立体視シートの断面図である。
【００７２】
第６実施例の立体視シート２００は、レンズシートに画像形成層を設けレンズシート同士を積層させる構成である。図６に示すように、第６実施例の立体視シート６００は、レンズシート１８Ａ、１８Ｂと、画像形成層１９Ａ、１９Ｂが必須の構成として設けられる。
【００７３】
レンズシート１８Ａの構成は第１実施例のレンズシート１Ａと同様であり、レンズシート１８Ｂの構成は第１実施例のレンズシート１Ｂと同様であるため説明を省略する。
【００７４】
画像形成層１９Ａ、１９Ｂは、絵柄や文字等の画像が印刷又は転写等により形成された層である。レンズシート１８Ａの凸レンズ集合体が形成されている面と反対側の面には画像形成層１９Ａが設けられ、レンズシート１８Ｂの凸レンズ集合体が形成されている面と反対側の面には画像形成層１９Ｂが設けられる。画像形成層１９Ａと１９Ｂが設けられた面でレンズシート１８Ａとレンズシート１８Ｂが積層されて立体視シート６００が形成される。なお、画像形成層１９Ａと１９Ｂが貼り合せられる面には、オペークインキ等による不透明の透け防止層（不図示）を積層することが好ましい。
【００７５】
画像形成層１９Ａのその他の構成は第２実施例の画像形成層６Ａと同様であり、画像形成層１９Ｂのその他の構成は第２実施例の画像形成層６Ｂと同様であるため説明を省略する。
【００７６】
第６実施例によれば、一方の面が複数の凸レンズ集合体により構成され凸レンズ集合体を有する面と反対側の面に画像形成層１９Ａが設けられたレンズシート１８Ａと、一方の面が複数の凸レンズ集合体により構成され凸レンズ集合体を有する面と反対側の面に画像形成層１９Ｂが設けられたレンズシート１８Ｂと、を設け、レンズシート１８Ａとレンズシート１８Ｂを、画像形成層が設けられた面同士を積層して構成したので、両面に奥行き感のある情報量の多い立体視シートであって、かつ、吸湿反りや乾燥反りのない立体視シートを実現できる。
【００７７】
特に、厚さ０．０８ｍｍ〜０．２０ｍｍのレンズシート１８Ａ及び１８Ｂを使用した場合、立体視シート全体の厚みを０．５５ｍｍ以下に薄くすることができ、可撓性が高く、かつ、吸湿反りや乾燥反りのない立体視シートを実現できる。
【００７８】
また、レンズシートと画像形成層で構成したので、より薄い立体視シートを実現できる。
【００７９】
（第７実施例）
図７は、第７実施例による立体視シートの断面図である。
【００８０】
図７に示すように、第７実施例の立体視シート７００は、レンズシート２０Ａ、２０Ｂと、画像形成媒体２１Ａ、２１Ｂと、画像形成層２２Ａ、２２Ｂが必須の構成として設けられる。以下に、立体視シート７００を構成する各層について説明する。
【００８１】
レンズシート２０Ａの構成は第１実施例のレンズシート１Ａと同様であり、レンズシート２０Ｂの構成は第１実施例のレンズシート１Ｂと同様であるため説明を省略する。
【００８２】
画像形成媒体２１Ａ、２１Ｂは、レンズシート２０Ａと２０Ｂの間に設けられ、それぞれレンズシート側の面に画像形成層２２Ａ、２２Ｂが形成される。具体的には、図７に示すように画像形成媒体２１Ａの上方に画像形成層２２Ａが形成され、画像形成媒体２１Ｂの下方に画像形成層２２Ｂが形成される。
【００８３】
画像形成媒体２１Ａ、２１Ｂのその他の構成は、第１実施例の画像形成媒体２と同様であり、画像形成層２２Ａの構成は第１実施例の画像形成層３Ａと同様であり、画像形成層２２Ｂの構成は第１実施例の画像形成層３Ｂと同様である。
【００８４】
画像形成媒体２１Ａと画像形成媒体２１Ｂの積層方法は、画像形成媒体２１Ａと画像形成媒体２１Ｂの材料に応じて、周知の方法（例えば、周知の接着又は粘着方法）を用いて行われる。なお、レンズシート２０Ａと画像形成媒体２１Ａとの積層方法、及び、レンズシート２０Ｂと画像形成媒体２１Ｂとの積層方法は、第１実施例のレンズシート１Ａ（１Ｂ）と画像形成媒体２との積層方法と同様であるため説明を省略する。
【００８５】
レンズシート２０Ａの凸レンズ集合体が形成された側（図面上方）からは、当該凸レンズ集合体と画像形成層２２Ａによる立体画像が観賞でき、レンズシート２０Ｂの凸レンズ集合体が形成された側（図面下方）からは、当該凸レンズ集合体と画像形成層２２Ｂによる立体画像が観賞できる。
【００８６】
第７実施例によれば、一方の面が複数の凸レンズ集合体により構成されるレンズシート２０Ａ、２０Ｂと、画像形成層２２Ａ、２２Ｂをそれぞれ有する２つの画像形成媒体２１Ａ、２１Ｂと、を設け、レンズシート２０Ａの凸レンズ集合体を有する面と反対側の面上に、画像形成媒体２１Ａの画像形成層２２Ａを有する面が積層され、レンズシート２０Ｂの凸レンズ集合体を有する面と反対側の面上に、画像形成媒体２１Ｂの画像形成層２２Ａを有する面が積層され、画像形成媒体２１Ａの画像形成層を有する面と反対側の面と、画像形成媒体２１Ｂの画像形成層２２Ｂを有する面と反対側の面が積層されて構成されるので、両面に奥行き感のある情報量の多い立体視シートであって、かつ、吸湿反りや乾燥反りのない立体視シートを実現できる。
【００８７】
特に、厚さ０．０８ｍｍ〜０．２０ｍｍのレンズシート２０Ａ及び２０Ｂを使用した場合、立体視シート全体の厚みを０．５５ｍｍ以下に薄くすることができ、可撓性が高く、かつ、吸湿反りや乾燥反りのない立体視シートを実現できる。
【００８８】
（実験例）
第１実施例による立体視シート１００による吸湿／乾燥による反りの改善実験を行った。
【００８９】
レンズシート（ＰＥＴ（ポリエチレンテレフタレート）、１００ＬＰＩ（Lens Per Inch）、厚さ０．３５ｍｍ）と、当該レンズシートの一方の面に画像形成層が形成されたコート紙を張り付けた構造の立体視シートを従来例による立体視シートとした。
【００９０】
第１実施例による立体視シート１００のレンズシート１Ａ、１Ｂは、従来例による立体視シートと同じレンズシートを用い、画像形成媒体２を従来例の立体視シートと同じコート紙を用いて構成した。
【００９１】
（Ａ．吸湿反り実験）
温度６０℃、湿度８０％で加湿後、通常温湿度（温度２５℃、湿度５０％）で数分〜１０分間放置した後に、反り（カール度合い）を測定した。カール度合いは、机上に立体視シートをカールの凸面を下に（立体視シートのレンズ面を上に）して載置し、机上面から立体視シートの両端の高さを計測した。
【００９２】
従来例による立体視シートでは、Ａ４サイズ（210mm×297ｍｍ）で約４０ｍｍの高さとなり、はがきサイズ（100mm×148mm）で約６ｍｍの高さだった。第１実施例による立体視シート１００では、Ａ４サイズ、はがきサイズ共に、吸湿反りは確認できなかった。
【００９３】
（Ｂ．乾燥反り実験）
温度６０℃、湿度２５％で乾燥させた。そして、通常温湿度（温度２５℃、湿度５０％）で、反り（カール度合い）を測定した。カール度合いは、机上に立体視シートをカールの凸面を下に（立体視シートのレンズ面を下に）して載置し、机上面から立体視シートの両端の高さを計測した。
【００９４】
従来例による立体視シートでは、乾燥直後から反りが確認でき、Ａ４サイズ（210mm×297ｍｍ）で約４５ｍｍの高さとなり、はがきサイズ（100mm×148mm）で約１０ｍｍの高さだった。第１実施例による立体視シート１００では、Ａ４サイズ、はがきサイズ共に、乾燥反りは確認できなかった。
【００９５】
本発明の適用範囲は上記実施形態に限定されることはない。本発明は、両面にレンズシートを設けた立体視シートに対し、広く適用することができる。例えば、屋内外で展示される広告パネルやデジタルサイネージ等に本発明の立体視シートを適用することもできる。この場合、広告パネル等のサイズに合わせて、立体視シートの厚さは適宜調整する。
【符号の説明】
【００９６】
１００、２００、３００、４００、５００、６００、７００  ・・・・立体視シート
１Ａ及び１Ｂ、４Ａ及び４Ｂ、７Ａ及び７Ｂ、１１Ａ及び１１Ｂ、１４Ａ及び１４Ｂ、１８Ａ及び１８Ｂ、２０Ａ及び２０Ｂ  ・・・・レンズシート
２、８Ａ及び８Ｂ、２１Ａ及び２１Ｂ・・・・画像形成媒体
３Ａ及び３Ｂ、６Ａ及び６Ｂ、９Ａ及び９Ｂ、１３Ａ及び１３Ｂ、１５Ａ及び１５Ｂ、１９Ａ及び１９Ｂ、２２Ａ及び２２Ｂ  ・・・・画像形成層
１２  ・・・・隠蔽構造シート
１０、１２ｃ、１６  ・・・・隠蔽層
【図１】
2012088584.tif 000003
【図２】
2012088584.tif 000004
【図３】
2012088584.tif 000005
【図４】
2012088584.tif 000006
【図５】
2012088584.tif 000007
【図６】
2012088584.tif 000008
【図７】
2012088584.tif 000009